【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
１つまたは複数の他の無線送受信ユニット（ＷＴＲＵ）と直接通信するための第１のＷＴＲＵに実施される方法であって、
前記第１のＷＴＲＵが、前記１つまたは複数の他のＷＴＲＵと通信するために直接のＰｒｏＳｅ通信を利用する少なくとも２つのアプリケーションを実行するステップであって、前記少なくとも２つのアプリケーションは、第１のアプリケーションおよび第２のアプリケーションを備える、ステップと、
前記第１のＷＴＲＵが、前記第１のアプリケーションに送信されることになる第１のパケットおよび前記第２のアプリケーションに送信されることになる第２のパケットを判定するステップと、
前記第１のＷＴＲＵが、前記第１のアプリケーションに基づいて、前記第１のパケットに第１の優先度を割り当て、前記第２のアプリケーションに基づいて、前記第２のパケットに第２の優先度を割り当てるステップであって、前記第１の優先度は、前記第２の優先度より高くなる、ステップと、
前記第１のＷＴＲＵが、前記第１のパケットおよび前記第２のパケットが同一の無線リソースで競合していることを判定するステップと、
前記第１のＷＴＲＵが、前記第１のパケットが前記第２のパケットより高い優先度を有していることに基づいて、前記第２のパケットよりも前記第１のパケットの送信を優先させるステップと、
前記第１のＷＴＲＵが、前記１つまたは複数の他のＷＴＲＵに前記第１のパケットを送信し、後続の直接のＰｒｏＳｅ送信機会まで前記第２のパケットの送信を抑制するステップと
を備える方法。
【請求項２】
前記第１のパケットが前記第１の優先度に関連付けられていることに基づいて、第１のコードが前記第１のパケットに割り当てられ、前記第２のパケットが前記第２の優先度に関連付けられていることに基づいて、第２のコードが前記第２のパケットに割り当てられる、請求項１に記載の方法。
【請求項３】
前記第１のＷＴＲＵが、前記第１のパケットが前記第２のパケットより高い優先度に関連付けられていることに基づいて前記第１のパケットの送信を完了した後、前記１つまたは複数の他のＷＴＲＵに前記第２のパケットを直接送信する、請求項１に記載の方法。
【請求項４】
前記第１のＷＴＲＵは、前記１つまたは複数の他のＷＴＲＵがセルラーネットワークと通信するための中継機として機能する、請求項１に記載の方法。
【請求項５】
直接のＰｒｏＳｅ通信パケットの送信のための優先度レベルは、アプリケーションレベルにおいて割り当てられる、請求項１に記載の方法。
【請求項６】
アプリケーションレベルベースの優先度レベルは、前記第１のＷＴＲＵによって変更され得る、請求項５に記載の方法。
【請求項７】
前記第１のパケットは、ｅｖｏｌｖｅｄ  Ｎｏｄｅ−Ｂ（ｅＮＢ）から受信されたアップリンク許可（grant）に従って、前記１つまたは複数の他のＷＴＲＵに送信される、請求項１に記載の方法。
【請求項８】
プロセッサを備えた第１の無線送受信ユニット（ＷＴＲＵ）であって、
前記プロセッサは、
１つまたは複数の他のＷＴＲＵと通信するために直接のＰｒｏＳｅ通信を利用する少なくとも２つのアプリケーションを実行し、前記少なくとも２つのアプリケーションは、第１のアプリケーションおよび第２のアプリケーションを備え、
前記第１のアプリケーションに送信されることになる第１のパケットおよび前記第２のアプリケーションに送信されることになる第２のパケットを判定し、
前記第１のアプリケーションに基づいて、前記第１のパケットに第１の優先度を割り当て、前記第２のアプリケーションに基づいて、前記第２のパケットに第２の優先度を割り当て、前記第１の優先度は、前記第２の優先度より高くなり、
前記第１のパケットおよび前記第２のパケットが同一の無線リソースで競合していることを判定し、
前記第１のパケットが前記第２のパケットより高い優先度を有していることに基づいて、前記第２のパケットよりも前記第１のパケットの送信を優先し、並びに、
前記１つまたは複数の他のＷＴＲＵに前記第１のパケットを送信し、後続の直接のＰｒｏＳｅ送信機会まで前記第２のパケットの送信を抑制する
ように構成された、第１のＷＴＲＵ。
【請求項９】
前記第１のパケットが前記第１の優先度に関連付けられていることに基づいて、第１のコードが前記第１のパケットに割り当てられ、前記第２のパケットが前記第２の優先度に関連付けられていることに基づいて、第２のコードが前記第２のパケットに割り当てられる、請求項８に記載のＷＴＲＵ。
【請求項１０】
前記プロセッサは、前記第１のパケットが前記第２のパケットより高い優先度に関連付けられていることに基づいて前記第１のパケットの送信を完了した後、前記１つまたは複数の他のＷＴＲＵに前記第２のパケットを直接送信するように構成された、請求項８に記載のＷＴＲＵ。
【請求項１１】
前記第１のＷＴＲＵは、前記１つまたは複数の他のＷＴＲＵがセルラーネットワークと通信するための中継機として機能するように構成された、請求項８に記載のＷＴＲＵ。
【請求項１２】
直接のＰｒｏＳｅ通信パケットの送信のための優先度レベルは、アプリケーションレベルにおいて割り当てられる、請求項８に記載のＷＴＲＵ。
【請求項１３】
アプリケーションレベルベースの優先度レベルは、前記第１のＷＴＲＵによって変更され得る、請求項１２に記載のＷＴＲＵ。
【請求項１４】
前記第１のパケットは、ｅｖｏｌｖｅｄ  Ｎｏｄｅ−Ｂ（ｅＮＢ）から受信されたアップリンク許可（grant）に従って、前記１つまたは複数の他のＷＴＲＵに送信される、請求項８に記載のＷＴＲＵ。
【手続補正２】
【補正対象書類名】明細書
【補正対象項目名】００６７
【補正方法】変更
【補正の内容】
【００６７】
ＷＴＲＵは、たとえば、直接またはネットワークノードを介して送信されることが可能であるＮＡＳメッセージおよび／またはＲＲＣメッセージを介して、モビリティイベントの発生に関するインディケーションをその他のＷＴＲＵへ送信するように構成されることが可能である。例においては、ＷＴＲＵは、ＮＡＳメッセージを介して、モビリティイベントの発生に関するインディケーションを、ＭＭＥおよび／またはｅＮＢを介して、その他のＷＴＲＵへ送信することができる。例においては、ＷＴＲＵは、ＲＲＣメッセージを介して、モビリティイベントの発生に関するインディケーションを、ｅＮＢを介して、その他のＷＴＲＵに送信することができる。ＷＴＲＵは、ＮＡＳメッセージおよび／またはＲＲＣメッセージを介して、モビリティイベントの発生に関するインディケーションをＭＭＥおよび／またはｅＮＢへ送信することができる。ＭＭＥおよび／またはｅＮＢは、たとえば、ＮＡＳメッセージおよび／またはＲＲＣメッセージを介して、通知をその他のＷＴＲＵへ送信することができる。
【手続補正３】
【補正対象書類名】明細書
【補正対象項目名】００８３
【補正方法】変更
【補正の内容】
【００８３】
ＷＴＲＵは、モビリティイベントを検知するように構成されることが可能である。ＷＴＲＵは、保留中のおよび／または発生しているモビリティイベントのタイプを判断するように構成されることが可能である。例においては、ＷＴＲＵは、モビリティイベントが、ＣＳサービスに起因するシステム間変更であるかどうかを判断するように構成されることが可能である。ＷＴＲＵは、モビリティイベントが、ＣＳＦＢに起因するシステム間変更であるかどうかを判断するように構成されることが可能である。ＷＴＲＵは、モビリティイベントが、ＣＳ付加サービスに起因するシステム間変更であるかどうかを判断するように構成されることが可能である。ＷＴＲＵは、モビリティイベントがＲＡＴ内ＨＯであるかどうかを判断するように構成されることが可能である。ＷＴＲＵは、モビリティイベントがＲＡＴ間ＨＯであるかどうかを判断するように構成されることが可能である。ＷＴＲＵは、モビリティイベントがＰＬＭＮ間ＨＯであるかどうかを判断するように構成されることが可能である。ＷＴＲＵは、モビリティイベントが、ＲＡＴ内ＨＯを伴うＰＬＭＮ間ＨＯであるかどうかを判断するように構成されることが可能である。ＷＴＲＵは、モビリティイベントが、ＲＡＴ間ＨＯを伴うＰＬＭＮ間ＨＯであるかどうかを判断するように構成されることが可能である。ＷＴＲＵは、モビリティイベントがＷｉ−Ｆｉオフロードであるかどうかを判断するように構成されることが可能である。ＷＴＲＵは、モビリティイベントがＩＰフローレベルでのＷｉ−Ｆｉオフロードであるかどうかを判断するように構成されることが可能である。ＷＴＲＵは、モビリティイベントがベアラレベルでのＷｉ−Ｆｉオフロードであるかどうかを判断するように構成されることが可能である。ＷＴＲＵは、モビリティイベントが、ＰＤＮ接続のうちのそれぞれを移動させるＷｉ−Ｆｉオフロードであるかどうかを判断するように構成されることが可能である。ＷＴＲＵは、モビリティイベントがネットワーク支援のセル変更命令であるかどうかを判断するように構成されることが可能である。
【手続補正４】
【補正対象書類名】明細書
【補正対象項目名】００８６
【補正方法】変更
【補正の内容】
【００８６】
ＷＴＲＵは、ＰｒｏＳｅセッションに関与しているアプリケーション上で取られることになるアクションを判断するように構成されることが可能である。ＷＴＲＵは、取られることになるアクションが、ＰｒｏＳｅセッションを一時停止することであるかどうかを判断するように構成されることが可能である。ＷＴＲＵは、たとえば、モビリティイベントがＣＳＦＢである場合に、取られることになるアクションが、ＰｒｏＳｅセッションを一時停止することであるかどうかを判断するように構成されることが可能である。ＷＴＲＵは、たとえば、モビリティイベントが、ＣＳＦＢに起因するＲＡＴ間ハンドオーバーである場合に、取られることになるアクションが、ＰｒｏＳｅセッションを一時停止することであるかどうかを判断するように構成されることが可能である。ＷＴＲＵは、たとえば、モビリティイベントがＰＬＭＮ間ハンドオーバーである場合に、取られることになるアクションが、ＰｒｏＳｅセッションを一時停止することであるかどうかを判断するように構成されることが可能である。ＷＴＲＵは、たとえば、モビリティイベントがＲＡＴ間ハンドオーバーである場合に、取られることになるアクションが、ＰｒｏＳｅセッションを一時停止することであるかどうかを判断するように構成されることが可能である。ＷＴＲＵは、たとえば、モビリティイベントがＲＡＴ内ハンドオーバーである場合に、取られることになるアクションが、ＰｒｏＳｅセッションを一時停止することであるかどうかを判断するように構成されることが可能である。ＷＴＲＵは、取られることになるアクションが、ＷＬＡＮを介してＰｒｏＳｅセッションを継続することであるかどうかを判断するように構成されることが可能である。ＷＴＲＵは、たとえば、モビリティイベントがシステム間変更である場合に、取られることになるアクションが、ＷＬＡＮを介してＰｒｏＳｅセッションを継続することであるかどうかを判断するように構成されることが可能である。ＷＴＲＵは、取られることになるアクションが、インターネットを介してＰｒｏＳｅセッションを継続することであるかどうかを判断するように構成されることが可能である。ＷＴＲＵは、たとえば、モビリティイベントがＣＳＦＢである場合に、取られることになるアクションが、インターネットを介してＰｒｏＳｅセッションを継続することであるかどうかを判断するように構成されることが可能である。ＷＴＲＵは、取られることになるアクションが、ＰｒｏＳｅセッションを終了することであるかどうかを判断するように構成されることが可能である。
【手続補正５】
【補正対象書類名】明細書
【補正対象項目名】００９２
【補正方法】変更
【補正の内容】
【００９２】
ＷＴＲＵは、たとえば、特定のアプリケーションインスタンスのサポートをブロードキャストする目的で、無線上でアイデンティティーおよび／またはコードを送信するように構成されることが可能である。コードは、特定のアプリケーションの専用であること、または特定のアプリケーションに対応することが可能である。ＷＴＲＵは、特定のアプリケーションのインスタンスを実行しているＷＴＲＵがプロキシミティ内にあるということを発見すること、およびブロードキャストされたコードを検知することが可能であるように構成されることが可能である。たとえば、コードは、ユーザ、および／またはそのユーザに関連付けられているＷＴＲＵ上で実行されているアプリケーションに関する（たとえば、そのコード内に組み込まれている）情報を含むことができる。たとえば、ＦｉｒｓｔＮａｍｅ  ＬａｓｔＮａｍｅという名前のユーザが、ＴｅｓｔＡｐｐｌｉｃａｔｉｏｎと呼ばれているアプリケーションを使用していると想定すると、無線上で送信されるコードは、ＦｉｒｓｔＮａｍｅ．ＬａｓｔＮａｍｅ＠ＴｅｓｔＡｐｐｌｉｃａｔｉｏｎとしてデコードされ解釈されることが可能であり、これは、ＷＴＲＵがＴｅｓｔＡｐｐｌｉｃａｔｉｏｎというアプリケーションを実行していて、ＴｅｓｔＡｐｐｌｉｃａｔｉｏｎというアプリケーションのユーザのユーザ名がＦｉｒｓｔＮａｍｅ  ＬａｓｔＮａｍｅであるということを意味することができる。ＷＴＲＵは、コードを受信するように構成されることが可能である。ＷＴＲＵは、特定のユーザ名／アプリケーションの組合せを実行している可能性があるその他のＷＴＲＵを検知するためにコードを利用するように構成されることが可能である。ＷＴＲＵは、稼働している１または複数のアプリケーションを有することができる。例として、ＷＴＲＵは、無線上でコードのＮ回の送信（たとえば、Ｎは、ＷＴＲＵ内のＮ個のアプリケーションに対応する整数である）を実行するように構成されることが可能である。ＷＴＲＵは、たとえば、ブロードキャストおよび発見方法を用いて、どのアプリケーションおよびユーザがそのＷＴＲＵにおいて実行されているかをその他のＷＴＲＵが発見することを可能にするためにＮ回の送信を実行することができる。ＷＴＲＵは、たとえば、ユーザおよび／またはオペレータの好みに基づく、それぞれのアプリケーションに関する優先度レベルを含むことができる。複数のアプリケーションを実行しているＷＴＲＵは、無線リソースの使用に関して複数のアプリケーションの間における競合を経験する可能性がある。複数のリソースの間における競合を経験しているＷＴＲＵは、特定のコードをブロードキャストするために無線リソースを使用することを試みることをトリガーするように構成されることが可能である。たとえば、ＷＴＲＵによってブロードキャストされる特定のコードは、複数のアプリケーションが無線リソースを求めて競合しているということを示すこと、および／または無線リソースを求めて競合しているアプリケーションのアイデンティティーを示すことが可能である。
【手続補正６】
【補正対象書類名】明細書
【補正対象項目名】００９７
【補正方法】変更
【補正の内容】
【００９７】
優先度レベルおよび／またはルールは、ＷＴＲＵがそのホームＰＬＭＮ内にあるか、または訪問先ＰＬＭＮ内にあるかに応じて変わることが可能である。訪問先ＰＬＭＮおよび／または（たとえば、訪問先ＰＬＭＮ内の）ローカルプロキシミティサーバは、ホームＰＬＭＮの好みをフェッチすることができ、たとえばＷＴＲＵが訪問先ＰＬＭＮ内にある場合に、アプリケーションをどのように優先順位付けするかに関して最終決定を行うことができる。訪問先ＰＬＭＮは、優先順位付けされたリストをＷＴＲＵに提供することができる。ＷＴＲＵは、優先順位付けされたリストを訪問先ＰＬＭＮから受信するように構成されることが可能である。ＷＴＲＵは、優先順位付けされたリストをローカルに、たとえば、アプリケーションごとにブロードキャスティングリソースを割り当てるために使用することができる。
【手続補正７】
【補正対象書類名】明細書
【補正対象項目名】０１０５
【補正方法】変更
【補正の内容】
【０１０５】
ｅＮＢは、ＰｒｏＳｅ接続をスケジュールするように構成されることが可能である。ｅＮＢは、ＰｒｏＳｅ接続のための専用のＤＲＢの使用を容易にするように構成されることが可能である。ｅＮＢ以外のＣＮノードは、ＰｒｏＳｅ  ＤＲＢに関する任意のＱｏＳメトリックおよび／または優先度を設定することができる。ｅＮＢは、ＰｒｏＳｅ  ＤＲＢに関する任意のＱｏＳメトリックおよび／または優先度をＣＮノードから受信するように構成されることが可能である。ｅＮＢは、ＷＴＲＵからのインディケーションを使用して、ＰｒｏＳｅ  ＤＲＢに関する優先度および／またはリソース許可を決定することができる。ＷＴＲＵは、スケジューリング要件を示すことができる。ｅＮＢは、ＷＴＲＵからスケジューリング要件を受信することができる。
【手続補正８】
【補正対象書類名】明細書
【補正対象項目名】０１３７
【補正方法】変更
【補正の内容】
【０１３７】
ＷＴＲＵは、ＰｒｏＳｅ通信のために再利用されることが可能な、ネットワークとの通信のために使用されたのと同じセキュリティーコンテキストおよび／またはアルゴリズムを使用するように構成されることが可能である。たとえば、ネットワークは、非ＰｒｏＳｅ通信のために使用されているＷＴＲＵのＮＡＳおよび／またはＡＳセキュリティーコンテキストがＰｒｏＳｅ通信のために使用されることも可能であるということを確実にすることができる。例においては、ＷＴＲＵは、ＷＴＲＵどうしの間におけるＰｒｏＳｅ通信のためにＮＡＳセキュリティーコンテキストを（たとえば、おそらくはＮＡＳセキュリティーコンテキストのみを）再利用することができる。ＷＴＲＵは、ＮＡＳセキュリティーのための３ＧＰＰ  ＮＡＳセキュリティーコンテキストを再利用することができる。ＮＡＳセキュリティーのための３ＧＰＰ  ＮＡＳセキュリティーコンテキストは、ＷＴＲＵとＭＭＥとの間におけるセキュリティーである場合がある。ＷＴＲＵは、非Ｐｒｏｓｅ通信のために使用されるＡＳセキュリティーコンテキストとは異なる、ＰｒｏｓｅセッションのためのＡＳセキュリティーコンテキストを使用することができる。非Ｐｒｏｓｅ通信のためのＡＳセキュリティーコンテキストは、ＷＴＲＵとｅＮＢとの間におけるセキュリティーである場合がある。ＷＴＲＵは、ＷＴＲＵどうしの間におけるＰｒｏＳｅ通信のためにＡＳセキュリティーコンテキストを（たとえば、ＡＳセキュリティーコンテキストのみを）再利用することができる。ＷＴＲＵは、ＡＳセキュリティーのための３ＧＰＰ  ＡＳセキュリティーコンテキストを再利用することができる。ＡＳセキュリティーのための３ＧＰＰ  ＡＳセキュリティーコンテキストは、ＷＴＲＵとｅＮＢとの間におけるセキュリティーである場合がある。ＷＴＲＵは、非ＰｒｏＳｅ通信のために使用されるＮＡＳセキュリティーコンテキストとは異なる、ＰｒｏＳｅセッションのためのＮＡＳセキュリティーコンテキストを使用することができる。非ＰｒｏＳｅ通信のためのＮＡＳセキュリティーコンテキストは、ＷＴＲＵとＭＭＥとの間におけるセキュリティーである場合がある。
【手続補正９】
【補正対象書類名】明細書
【補正対象項目名】０１５６
【補正方法】変更
【補正の内容】
【０１５６】
上では特徴および要素が特定の組合せで記載されているが、それぞれの特徴または要素は、単独で、またはその他の特徴および要素との任意の組合せで使用されることが可能であるということを当技術分野における標準的な技術者なら理解するであろう。加えて、本明細書において記載されている方法は、コンピュータまたはプロセッサによって実行するためにコンピュータ可読メディア内に組み込まれているコンピュータプログラム、ソフトウェア、またはファームウェアで実施されることが可能である。コンピュータ可読メディアの例は、（有線接続またはワイヤレス接続を介して送信される）電子信号、およびコンピュータ可読ストレージメディアを含む。コンピュータ可読ストレージメディアの例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気メディア、光磁気メディア、ＣＤ−ＲＯＭディスクおよびデジタル多用途ディスク（ＤＶＤ）などの光メディアを含むが、それらには限定されない。ＷＴＲＵ、端末、基地局、ＲＮＣ、または任意のホストコンピュータにおいて使用するための無線周波数トランシーバを実施するために、ソフトウェアと関連付けられているプロセッサが使用されることが可能である。